【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
複数の画像をそれらの境界に余白を形成せずに印刷媒体に連続印刷し、各画像の境界の位置で前記印刷媒体を切断する印刷装置に適用する連続印刷用画像処理システムであって、
前記複数の画像について画像データを取得する画像データ取得手段と、視覚的に連続性を有するフレーム画像の画像データを記憶するフレーム画像記憶手段と、前記画像データ取得手段で取得した画像データおよび前記フレーム画像記憶手段の画像データに基づいて、前記複数の画像のうちの隣接する画像のそれぞれに前記フレーム画像を合成する画像修正手段とを備えることを特徴とする連続印刷用画像処理システム。
【請求項２】
複数の画像をそれらの境界に余白を形成せずに印刷媒体に連続印刷し、各画像の境界の位置で前記印刷媒体を切断する印刷装置に適用する連続印刷用画像処理システムであって、
前記複数の画像について画像データを取得する画像データ取得手段と、複数の背景画像についての画像データを記憶する背景画像記憶手段と、前記画像データ取得手段で取得した画像データおよび前記背景画像記憶手段の画像データに基づいて、前記複数の画像のうちの隣接する画像の背景画像の境界部分において視覚的に連続性を有するように、前記隣接する画像の背景画像を前記複数の背景画像のいずれかにそれぞれ変更する画像修正手段とを備えることを特徴とする連続印刷用画像処理システム。
【請求項３】
複数の画像をそれらの境界に余白を形成せずに印刷媒体に連続印刷し、各画像の境界の位置で前記印刷媒体を切断する印刷装置に適用する連続印刷用画像処理システムであって、
前記複数の画像について画像データを取得する画像データ取得手段と、視覚的に連続性を有する背景画像の画像データを記憶する背景画像記憶手段と、前記画像データ取得手段で取得した画像データおよび前記背景画像記憶手段の画像データに基づいて、前記複数の画像のうちの隣接する画像の背景画像を１つの前記背景画像に変更する画像修正手段とを備えることを特徴とする連続印刷用画像処理システム。
【請求項４】
請求項１ないし３のいずれか１項において、
さらに、前記画像の隣接方向の向きを決定する向き決定手段とを備えることを特徴とする連続印刷用画像処理システム。
【請求項５】
請求項１ないし３のいずれか１項において、
さらに、前記隣接する画像の境界であって１つの前記画像の異なる境界に対してそれぞれ余白を設定するか否かを示す余白設定情報を前記複数の画像について取得する余白設定情報取得手段と、前記余白設定情報取得手段で取得した余白設定情報に基づいて、前記境界に余白を設定しない画像同士、または前記境界に余白を設定する画像同士が当該境界を共通にして隣接するように、前記画像の隣接方向の向きを決定する向き決定手段とを備え、
前記画像修正手段は、前記境界に余白を設定せずに隣接する画像を修正することを特徴とする連続印刷用画像処理システム。
【請求項６】
請求項１ないし３のいずれか１項において、
さらに、前記各画像の境界ごとに当該境界と他の前記画像の各境界とをそれぞれ対比してそれらの境界に余白を設定するか否かを判定する余白判定手段と、前記余白判定手段の判定結果に基づいて、前記境界に余白を設定しない画像同士、または前記境界に余白を設定する画像同士が当該境界を共通にして隣接するように、前記画像の隣接方向の向きを決定する向き決定手段とを備え、
前記画像修正手段は、前記境界に余白を設定せずに隣接する画像を修正することを特徴とする連続印刷用画像処理システム。
【請求項７】
複数の画像をそれらの境界に余白を形成せずに印刷媒体に連続印刷し、各画像の境界の位置で前記印刷媒体を切断する印刷装置に適用する連続印刷用画像処理プログラムであって、
前記複数の画像について画像データを取得する画像データ取得ステップと、前記画像データ取得ステップで取得した画像データ、および視覚的に連続性を有するフレーム画像の画像データを記憶するフレーム画像記憶手段の画像データに基づいて、前記複数の画像のうちの隣接する画像のそれぞれに前記フレーム画像を合成する画像修正ステップとからなる処理をコンピュータに実行させるためのプログラムを含むことを特徴とする連続印刷用画像処理プログラム。
【請求項８】
複数の画像をそれらの境界に余白を形成せずに印刷媒体に連続印刷し、各画像の境界の位置で前記印刷媒体を切断する印刷装置に適用する連続印刷用画像処理プログラムであって、
前記複数の画像について画像データを取得する画像データ取得ステップと、前記画像データ取得ステップで取得した画像データ、および複数の背景画像についての画像データを記憶する背景画像記憶手段の画像データに基づいて、前記複数の画像のうちの隣接する画像の背景画像の境界部分において視覚的に連続性を有するように、前記隣接する画像の背景画像を前記複数の背景画像のいずれかにそれぞれ変更する画像修正ステップとからなる処理をコンピュータに実行させるためのプログラムを含むことを特徴とする連続印刷用画像処理プログラム。
【請求項９】
複数の画像をそれらの境界に余白を形成せずに印刷媒体に連続印刷し、各画像の境界の位置で前記印刷媒体を切断する印刷装置に適用する連続印刷用画像処理プログラムであって、
前記複数の画像について前記画像データを取得する画像データ取得ステップと、前記画像データ取得ステップで取得した画像データ、および視覚的に連続性を有する背景画像の画像データを記憶する背景画像記憶手段の画像データに基づいて、前記複数の画像のうちの隣接する画像の背景画像を１つの前記背景画像に変更する画像修正ステップとからなる処理をコンピュータに実行させるためのプログラムを含むことを特徴とする連続印刷用画像処理プログラム。
【請求項１０】
複数の画像をそれらの境界に余白を形成せずに印刷媒体に連続印刷し、各画像の境界の位置で前記印刷媒体を切断する印刷装置に適用する連続印刷用画像処理方法であって、
前記複数の画像について前記画像データを取得する画像データ取得ステップと、前記画像データ取得ステップで取得した画像データ、および視覚的に連続性を有するフレーム画像の画像データを記憶するフレーム画像記憶手段の画像データに基づいて、前記複数の画像のうちの隣接する画像のそれぞれに前記フレーム画像を合成する画像修正ステップとを含むことを特徴とする連続印刷用画像処理方法。
【請求項１１】
複数の画像をそれらの境界に余白を形成せずに印刷媒体に連続印刷し、各画像の境界の位置で前記印刷媒体を切断する印刷装置に適用する連続印刷用画像処理方法であって、
前記複数の画像について前記画像データを取得する画像データ取得ステップと、前記画像データ取得ステップで取得した画像データ、および複数の背景画像についての画像データを記憶する背景画像記憶手段の画像データに基づいて、前記複数の画像のうちの隣接する画像の背景画像の境界部分において視覚的に連続性を有するように、前記隣接する画像の背景画像を前記複数の背景画像のいずれかにそれぞれ変更する画像修正ステップとを含むことを特徴とする連続印刷用画像処理方法。
【請求項１２】
複数の画像をそれらの境界に余白を形成せずに印刷媒体に連続印刷し、前記各画像の境界の位置で前記印刷媒体を切断する印刷装置に適用する連続印刷用画像処理方法であって、
前記複数の画像について前記画像データを取得する画像データ取得ステップと、前記画像データ取得ステップで取得した画像データ、および視覚的に連続性を有する背景画像の画像データを記憶する背景画像記憶手段の画像データに基づいて、前記複数の画像のうちの隣接する画像の背景画像を１つの前記背景画像に変更する画像修正ステップとを含むことを特徴とする連続印刷用画像処理方法。
【手続補正２】
【補正対象書類名】明細書
【補正対象項目名】０００７
【補正方法】変更
【補正の内容】
【０００７】
〔形態１〕 上記目的を達成するために、形態１の連続印刷用画像処理システムは、
複数の画像をそれらの境界に余白を形成せずに印刷媒体に連続印刷し、各画像の境界の位置で前記印刷媒体を切断する印刷装置に適用する連続印刷用画像処理システムであって、
前記複数の画像について画像データを取得する画像データ取得手段と、視覚的に連続性を有するフレーム画像の画像データを記憶するフレーム画像記憶手段と、前記画像データ取得手段で取得した画像データおよび前記フレーム画像記憶手段の画像データに基づいて、前記複数の画像のうちの隣接する画像のそれぞれに前記フレーム画像を合成する画像修正手段とを備えることを特徴とする。
【手続補正３】
【補正対象書類名】明細書
【補正対象項目名】００１３
【補正方法】変更
【補正の内容】
【００１３】
〔形態２〕 さらに、形態２の連続印刷用画像処理システムは、
複数の画像をそれらの境界に余白を形成せずに印刷媒体に連続印刷し、各画像の境界の位置で前記印刷媒体を切断する印刷装置に適用する連続印刷用画像処理システムであって、
前記複数の画像について画像データを取得する画像データ取得手段と、複数の背景画像についての画像データを記憶する背景画像記憶手段と、前記画像データ取得手段で取得した画像データおよび前記背景画像記憶手段の画像データに基づいて、前記複数の画像のうちの隣接する画像の背景画像の境界部分において視覚的に連続性を有するように、前記隣接する画像の背景画像を前記複数の背景画像のいずれかにそれぞれ変更する画像修正手段とを備えることを特徴とする。
【手続補正４】
【補正対象書類名】明細書
【補正対象項目名】００１６
【補正方法】変更
【補正の内容】
【００１６】
〔形態３〕 さらに、形態３の連続印刷用画像処理システムは、
複数の画像をそれらの境界に余白を形成せずに印刷媒体に連続印刷し、各画像の境界の位置で前記印刷媒体を切断する印刷装置に適用する連続印刷用画像処理システムであって、
前記複数の画像について画像データを取得する画像データ取得手段と、視覚的に連続性を有する背景画像の画像データを記憶する背景画像記憶手段と、前記画像データ取得手段で取得した画像データおよび前記背景画像記憶手段の画像データに基づいて、前記複数の画像のうちの隣接する画像の背景画像を１つの前記背景画像に変更する画像修正手段とを備えることを特徴とする。
【手続補正５】
【補正対象書類名】明細書
【補正対象項目名】００２３
【補正方法】変更
【補正の内容】
【００２３】
〔形態６〕 さらに、形態６の連続印刷用画像処理システムは、形態１ないし３のいずれか１の連続印刷用画像処理システムにおいて、
さらに、前記各画像の境界ごとに当該境界と他の前記画像の各境界とをそれぞれ対比してそれらの境界に余白を設定するか否かを判定する余白判定手段と、前記余白判定手段の判定結果に基づいて、前記境界に余白を設定しない画像同士、または前記境界に余白を設定する画像同士が当該境界を共通にして隣接するように、前記画像の隣接方向の向きを決定する向き決定手段とを備え、
前記画像修正手段は、前記境界に余白を設定せずに隣接する画像を修正することを特徴とする。
【手続補正６】
【補正対象書類名】明細書
【補正対象項目名】００２６
【補正方法】変更
【補正の内容】
【００２６】
〔形態７〕 一方、上記目的を達成するために、形態７の連続印刷用画像処理プログラムは、
複数の画像をそれらの境界に余白を形成せずに印刷媒体に連続印刷し、各画像の境界の位置で前記印刷媒体を切断する印刷装置に適用する連続印刷用画像処理プログラムであって、
前記複数の画像について画像データを取得する画像データ取得ステップと、前記画像データ取得ステップで取得した画像データ、および視覚的に連続性を有するフレーム画像の画像データを記憶するフレーム画像記憶手段の画像データに基づいて、前記複数の画像のうちの隣接する画像のそれぞれに前記フレーム画像を合成する画像修正ステップとからなる処理をコンピュータに実行させるためのプログラムを含むことを特徴とする。
【手続補正７】
【補正対象書類名】明細書
【補正対象項目名】００２８
【補正方法】変更
【補正の内容】
【００２８】
〔形態８〕 さらに、形態８の連続印刷用画像処理プログラムは、
複数の画像をそれらの境界に余白を形成せずに印刷媒体に連続印刷し、各画像の境界の位置で前記印刷媒体を切断する印刷装置に適用する連続印刷用画像処理プログラムであって、
前記複数の画像について画像データを取得する画像データ取得ステップと、前記画像データ取得ステップで取得した画像データ、および複数の背景画像についての画像データを記憶する背景画像記憶手段の画像データに基づいて、前記複数の画像のうちの隣接する画像の背景画像の境界部分において視覚的に連続性を有するように、前記隣接する画像の背景画像を前記複数の背景画像のいずれかにそれぞれ変更する画像修正ステップとからなる処理をコンピュータに実行させるためのプログラムを含むことを特徴とする。
【手続補正８】
【補正対象書類名】明細書
【補正対象項目名】００３０
【補正方法】変更
【補正の内容】
【００３０】
〔形態９〕 さらに、形態９の連続印刷用画像処理プログラムは、
複数の画像をそれらの境界に余白を形成せずに印刷媒体に連続印刷し、各画像の境界の位置で前記印刷媒体を切断する印刷装置に適用する連続印刷用画像処理プログラムであって、
前記複数の画像について前記画像データを取得する画像データ取得ステップと、前記画像データ取得ステップで取得した画像データ、および視覚的に連続性を有する背景画像の画像データを記憶する背景画像記憶手段の画像データに基づいて、前記複数の画像のうちの隣接する画像の背景画像を１つの前記背景画像に変更する画像修正ステップとからなる処理をコンピュータに実行させるためのプログラムを含むことを特徴とする。
【手続補正９】
【補正対象書類名】明細書
【補正対象項目名】００３５
【補正方法】変更
【補正の内容】
【００３５】
〔形態１２〕 さらに、形態１２の連続印刷用画像処理プログラムは、形態７ないし９のいずれか１の連続印刷用画像処理プログラムにおいて、
さらに、前記各画像の境界ごとに当該境界と他の前記画像の各境界とをそれぞれ対比してそれらの境界に余白を設定するか否かを判定する余白判定ステップと、前記余白判定ステップの判定結果に基づいて、前記境界に余白を設定しない画像同士、または前記境界に余白を設定する画像同士が当該境界を共通にして隣接するように、前記画像の隣接方向の向きを決定する向き決定ステップとからなる処理をコンピュータに実行させるためのプログラムを含み、
前記画像修正ステップは、前記境界に余白を設定せずに隣接する画像を修正することを特徴とする。
【手続補正１０】
【補正対象書類名】明細書
【補正対象項目名】００３７
【補正方法】変更
【補正の内容】
【００３７】
〔形態１３〕 一方、上記目的を達成するために、形態１３の連続印刷用画像処理方法は、
複数の画像をそれらの境界に余白を形成せずに印刷媒体に連続印刷し、各画像の境界の位置で前記印刷媒体を切断する印刷装置に適用する連続印刷用画像処理方法であって、
前記複数の画像について前記画像データを取得する画像データ取得ステップと、前記画像データ取得ステップで取得した画像データ、および視覚的に連続性を有するフレーム画像の画像データを記憶するフレーム画像記憶手段の画像データに基づいて、前記複数の画像のうちの隣接する画像のそれぞれに前記フレーム画像を合成する画像修正ステップとを含むことを特徴とする。
これにより、形態１の連続印刷用画像処理システムと同等の効果が得られる。
【手続補正１１】
【補正対象書類名】明細書
【補正対象項目名】００３８
【補正方法】変更
【補正の内容】
【００３８】
〔形態１４〕 さらに、形態１４の連続印刷用画像処理方法は、
複数の画像をそれらの境界に余白を形成せずに印刷媒体に連続印刷し、各画像の境界の位置で前記印刷媒体を切断する印刷装置に適用する連続印刷用画像処理方法であって、
前記複数の画像について前記画像データを取得する画像データ取得ステップと、前記画像データ取得ステップで取得した画像データ、および複数の背景画像についての画像データを記憶する背景画像記憶手段の画像データに基づいて、前記複数の画像のうちの隣接する画像の背景画像の境界部分において視覚的に連続性を有するように、前記隣接する画像の背景画像を前記複数の背景画像のいずれかにそれぞれ変更する画像修正ステップとを含むことを特徴とする。
これにより、形態２の連続印刷用画像処理システムと同等の効果が得られる。
【手続補正１２】
【補正対象書類名】明細書
【補正対象項目名】００３９
【補正方法】変更
【補正の内容】
【００３９】
〔形態１５〕 さらに、形態１５の連続印刷用画像処理方法は、
複数の画像をそれらの境界に余白を形成せずに印刷媒体に連続印刷し、前記各画像の境界の位置で前記印刷媒体を切断する印刷装置に適用する連続印刷用画像処理方法であって、
前記複数の画像について前記画像データを取得する画像データ取得ステップと、前記画像データ取得ステップで取得した画像データ、および視覚的に連続性を有する背景画像の画像データを記憶する背景画像記憶手段の画像データに基づいて、前記複数の画像のうちの隣接する画像の背景画像を１つの前記背景画像に変更する画像修正ステップとを含むことを特徴とする。
これにより、形態３の連続印刷用画像処理システムと同等の効果が得られる。
【手続補正１３】
【補正対象書類名】明細書
【補正対象項目名】００４２
【補正方法】変更
【補正の内容】
【００４２】
〔形態１８〕 さらに、形態１８の連続印刷用画像処理方法は、形態１３ないし１５のいずれか１の連続印刷用画像処理方法において、
さらに、前記各画像の境界ごとに当該境界と他の前記画像の各境界とをそれぞれ対比してそれらの境界に余白を設定するか否かを判定する余白判定ステップと、前記余白判定ステップの判定結果に基づいて、前記境界に余白を設定しない画像同士、または前記境界に余白を設定する画像同士が当該境界を共通にして隣接するように、前記画像の隣接方向の向きを決定する向き決定ステップとを含み、
前記画像修正ステップは、前記境界に余白を設定せずに隣接する画像を修正することを特徴とする。
これにより、形態６の連続印刷用画像処理システムと同等の効果が得られる。